【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
上部の流入口側に便器の排水口が接続され、下部の流出口側が排水管に挿着されて床面に固定されるとともに、前記流出口側には、サイホン起動用の絞り部が形成されてなる排水ソケットにおいて、
前記絞り部の下流に連続して形成され、排水を中心軸線方向に案内するガイド流路を有するガイド部を備えていることを特徴とする排水ソケット。
【請求項２】
上部の流入口側に便器の排水口が接続され、下部の流出口側が排水管に挿着されて床面に固定されるとともに、前記流出口側には、サイホン起動用の絞り部が形成されてなる排水ソケットにおいて、
前記絞り部の下流に連続し、前記配水管より小径に形成され、排水が沿って流れるガイド流路を有するガイド部を備えていることを特徴とする排水ソケット。
【請求項３】
請求項１又は２記載の排水ソケットと、この排水ソケットの上部の流入口側に排水口が接続される便器とを具備していることを特徴とする水洗式便器。
【手続補正２】
【補正対象書類名】明細書
【補正対象項目名】０００５
【補正方法】変更
【補正の内容】
【０００５】
第１発明の排水ソケットは、上部の流入口側に便器の排水口が接続され、下部の流出口側が排水管に挿着されて床面に固定されるとともに、前記流出口側には、サイホン起動用の絞り部が形成されてなる排水ソケットにおいて、前記絞り部の下流に連続して形成され、排水を中心軸線方向に案内するガイド流路を有するガイド部を備えていることを特徴とする。
また、第２発明の排水ソケットは、上部の流入口側に便器の排水口が接続され、下部の流出口側が排水管に挿着されて床面に固定されるとともに、前記流出口側には、サイホン起動用の絞り部が形成されてなる排水ソケットにおいて、前記絞り部の下流に連続し、前記配水管より小径に形成され、排水が沿って流れるガイド流路を有するガイド部を備えていることを特徴とする。
【手続補正３】
【補正対象書類名】明細書
【補正対象項目名】０００６
【補正方法】変更
【補正の内容】
【０００６】
第１及び第２発明では、絞り部の下流にガイド流路を設け、絞り部でサイホンが起こった後に、ガイド流路を通り排水がスムーズに抜けて、サイホン流速が速くなる効果を有し、また、ガイド流路内で排水が流路内壁面に当たって抵抗が生じ、この抵抗により、絞り部よりも下流側でサイホンを起こすことができ、そのため水頭圧が上がり、サイホン力が向上するものとなる。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
【図１】実施例１の排水ソケットの設置状態の縦断面構成図である。
【図２】実施例１の変更例の排水ソケットの設置状態の縦断面構成図である。
【図３】参考例１の排水ソケットの設置状態の縦断面構成図である。
【図４】参考例２の排水ソケットの設置状態の縦断面構成図である。
【図５】図４のＡ−Ａ線断面構成図である。
【図６】参考例２の変形例の排水ソケットの設置状態の縦断面構成図である。
【図７】実施例２の排水ソケットの設置状態の縦断面構成図である。
【手続補正１０】
【補正対象書類名】明細書
【補正対象項目名】００１４
【補正方法】変更
【補正の内容】
【００１４】
＜実施例１＞
図１は、実施例１の排水ソケットの縦断面拡大構成図である。
排水ソケット１は、その本体部２の上部に、上面が開放されたお椀状に接続椀部２ａが一体形成されており、本体部２の下端側には、外側へ突出して排水管固定部２ｂが一体形成されている。
この本体部２の下端側には、円筒部材３が接着剤で接着されて一体化されており、円筒部材３の下部は、下方へ垂下状に延びる排水管差込部３ａとなっており、さらに排水管差込部３ａから下方へ向かって連続してガイド部３ｂが垂下状に一体形成されている。
【手続補正１１】
【補正対象書類名】明細書
【補正対象項目名】００２３
【補正方法】変更
【補正の内容】
【００２３】
次に、図２は実施例１の変更例を示すものである。
図２では、絞り部５よりも下流側のガイド部３ｂ内に形成されたガイド流路６を、上方から下方側に向かって図示左方向に中心軸線Ｐ１を偏心させて形成したものである。
即ち、図２では、ガイド流路６の中心軸線Ｐ１の傾き方向は、排水ソケット１の本体部２内の偏心流路４の中心軸線Ｐと同方向にされ、ガイド流路６の傾き方向が排水ソケット１の偏心流路４の偏心方向と同じに設定されたものである。その他の構成は、図１のものと同様である。
【手続補正１２】
【補正対象書類名】明細書
【補正対象項目名】００２５
【補正方法】変更
【補正の内容】
【００２５】
＜参考例１＞
次に、図３では、参考例１を説明する。
排水ソケット１は、その本体部２の上部に、上面が開放されたお椀状に接続椀部２ａが一体形成されており、本体部２の下端側には、外側へ突出して排水管固定部２ｂが一体形成されている。
この本体部２の下端側には、円筒部材３が接着剤で接着されて一体化されており、円筒部材３の下部は、下方へ垂下状に延びる排水管差込部３ａとなっている。
【手続補正１３】
【補正対象書類名】明細書
【補正対象項目名】００２９
【補正方法】変更
【補正の内容】
【００２９】
次に、参考例１の排水の流れを説明する。
大便器の排水口８から汚物とともに排水ソケット１の偏心流路４内に流入される排水は、最初は流速が遅いため偏心流路４の排水受け面４ｃに当たり、排水案内面４ｄに沿って図中ａで示す方向に流下して、絞り部５の受け面５ａ，５ｂに当たり、排水が偏心流路４内に溜められてサイホンが起動されることとなる。サイホン起動後は流速が速く、偏心流路内を排水で満たされた状態で、図中ｂで示す方向、即ち偏心流路４の偏心方向に排水が曲げられながら流れてゆく。
【手続補正１４】
【補正対象書類名】明細書
【補正対象項目名】００３１
【補正方法】変更
【補正の内容】
【００３１】
＜参考例２＞
次に、図４には参考例２の排水ソケットを示し、また図５では、図４のＡ−Ａ線断面図を示す。
排水ソケット１は、その本体部２の上部に、上面が開放されたお椀状に接続椀部２ａが一体形成されており、本体部２の下端側には、外側へ突出して排水管固定部２ｂが一体形成されている。
この本体部２の下端側には、円筒部材３が接着剤で接着されて一体化されており、円筒部材３の下部は、下方へ垂下状に延びる排水管差込部３ａとなっている。
【手続補正１５】
【補正対象書類名】明細書
【補正対象項目名】００３５
【補正方法】変更
【補正の内容】
【００３５】
次に、参考例２における排水の流れを説明する。
大便器の排水口８から汚物とともに偏心流路４内に流入される排水は、サイホンが起こる前は流速が遅いために、偏心流路４内の排水受け面４ｃに排水が当たり、排水はほぼ垂直な排水案内面４ｄに沿って図中ａで示す方向に流下し、絞り部５の右側の受け面５ｂに当たる。この右側の受け面５ｂの面積は従来のものよりも大であるために排水が溜まりやすく、良好に上方の偏心流路４内に排水を溜めてサイホンを起動させることができるものとなる。
サイホン起動後には排水の流速は速く、偏心流路４内を排水で満たされた状態で、偏心流路４の偏心方向に排水が曲げられながら、図中ｂの矢印で示す方向に排水は流れてゆくこととなる。
【手続補正１６】
【補正対象書類名】明細書
【補正対象項目名】００３７
【補正方法】変更
【補正の内容】
【００３７】
なお、図６は参考例２の変更例を示すものである。
図６の排水ソケット１は、本体部が本体上部２Ａと本体下部２Ｂに分割されており、本体下部２Ｂの上端に本体上部２Ａの下部が接続部Ｂで接続されて一体化されたものであり、本体上部２Ａと本体下部２Ｂ内に偏心流路４が形成されており、この偏心流路４は、上端の流入口４ａから接続部Ｂ間では図示左側へ曲げられて形成され、接続部Ｂから下端の流出口４ｂ間では図示右側へ曲げられて、偏心流路４は略Ｓ字状に曲げられた流路となっている。
【手続補正１７】
【補正対象書類名】明細書
【補正対象項目名】００４０
【補正方法】変更
【補正の内容】
【００４０】
＜実施例２＞
図７は、実施例２の排水ソケットを示す。
排水ソケット１は、その本体部２の上部に、上面が開放されたお椀状に接続椀部２ａが一体形成されており、本体部２の下端側には、外側へ突出して排水管固定部２ｂが一体形成されている。
この本体部２の下端側には、円筒部材３が接着剤で接着されて一体化されており、円筒部材３の下部は、下方へ垂下状に延びる排水管差込部３ａとなっており、さらに排水管差込部３ａから下方へ向かって連続してガイド部３ｂが垂下状に一体形成されている。
【手続補正１８】
【補正対象書類名】明細書
【補正対象項目名】００４５
【補正方法】変更
【補正の内容】
【００４５】
次に、実施例２の排水の流れを説明する。
大便器の排水口８から汚物とともに排水ソケット１の偏心流路４内に流入される排水は、最初は流速が遅いため偏心流路４の排水受け面４ｃに当たり、排水案内面４ｄに沿って図中ａで示す方向に流下して、絞り部５の受け面５ａ，５ｂに当たり、排水が偏心流路４内に溜められてサイホンが起動されることとなる。サイホン起動後は流速が速く、偏心流路４内を排水で満たされた状態で、図中ｂで示す方向、即ち偏心流路４の偏心方向に排水が曲げられて流れてゆく。